【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
機能にアクセスするためにコンピューティングデバイスを認証するための方法であって、
前記コンピューティングデバイスにおいて、近接ビーコンデバイスから第1の信号を受信するステップと、
前記受信された第1の信号から、前記近接ビーコンデバイスが前記近接ビーコンの位置の変化を示す移動を検出したかどうかを示す情報を取得するステップと、
前記受信された第1の信号からの前記取得された情報が、前記近接ビーコンデバイスの既知のロケーションに対応する記憶されたデータにマッチするかどうかを決定するステップと、
前記受信された第1の信号からの前記取得された情報が、前記記憶されたデータにマッチするとの決定に応答して、前記コンピューティングデバイスが前記機能にアクセスするための簡略認証動作を実行するステップと、
前記受信された第1の信号からの前記取得された情報が、前記記憶されたデータにマッチしないとの決定に応答して、前記コンピューティングデバイスが前記機能にアクセスするための通常認証動作を実行するステップと
を含む方法。
【請求項２】
前記第1の信号が、ブロードキャストメッセージおよびセキュアリンクのうちの1つである、請求項1に記載の方法。
【請求項３】
前記受信された第1の信号からの前記取得された情報に基づいて、前記近接ビーコンデバイスを認証するステップをさらに含む、請求項1に記載の方法。
【請求項４】
前記受信された第1の信号からの前記取得された情報に基づいて、前記近接ビーコンデバイスを認証するステップが、
前記受信された第1の信号からの前記取得された情報に基づいて、前記近接ビーコンデバイスを認証するために、サーバにメッセージを送信するステップと、
前記近接ビーコンデバイスが認証されるかどうかを示す応答メッセージを前記サーバから受信するステップと
を含む、請求項3に記載の方法。
【請求項５】
前記受信された第1の信号からの前記取得された情報が、不明瞭にされたデバイス識別子を含む、請求項1に記載の方法。
【請求項６】
前記受信された第1の信号からの前記取得された情報が、64ビットの移動インジケータを含む、請求項1に記載の方法。
【請求項７】
前記簡略認証動作が、WiFiルータ、ウェブサイト、およびアプリケーションのうちの少なくとも1つに自動的にログインすること、または、前記コンピューティングデバイスを構成モードで動作するように自動的に構成することを含む、請求項1に記載の方法。
【請求項８】
デバイス識別子をもつ第2の信号をブロードキャストするステップと、
前記ブロードキャストされた第2の信号を受信した近接ブロードキャスト受信機が移動されたかどうかを示すメッセージを、サーバから受信するステップと、
前記近接ブロードキャスト受信機が移動されていないことを示す前記メッセージの受信に応答して、前記コンピューティングデバイスが前記機能にアクセスするための前記簡略認証動作を実行するステップと、
前記近接ブロードキャスト受信機が移動されたことを示す前記メッセージの受信に応答して、前記コンピューティングデバイスが前記機能にアクセスするための前記通常認証動作を実行するステップと
をさらに含む、請求項1に記載の方法。
【請求項９】
コンピューティングデバイスのプロセッサに、請求項1乃至8の何れか1項に記載の方法の機能にアクセスするために前記コンピューティングデバイスを認証するための動作を実行させるように構成されたプロセッサ実行可能命令を記憶した、プロセッサ可読記憶媒体。
【請求項１０】
通信システムであって、
近接ビーコンデバイスと、
コンピューティングデバイスと
を備え、
前記コンピューティングデバイスが、動作を実行するようにプロセッサ実行可能命令で構成された第1のプロセッサを備え、前記動作が、
前記近接ビーコンデバイスから第1の信号を受信すること、
前記受信された第1の信号から、前記近接ビーコンデバイスが前記近接ビーコンの位置の変化を示す移動を検出したかどうかを示す情報を取得すること、
前記受信された第1の信号からの前記取得された情報が、前記近接ビーコンデバイスの既知のロケーションに対応する記憶されたデータにマッチするかどうかを決定すること、
前記受信された第1の信号からの前記取得された情報が、前記記憶されたデータにマッチするとの決定に応答して、前記コンピューティングデバイスが機能にアクセスするための簡略認証動作を実行すること、および
前記受信された第1の信号からの前記取得された情報が、前記記憶されたデータにマッチしないとの決定に応答して、前記コンピューティングデバイスが前記機能にアクセスするための通常認証動作を実行すること
を含み、
前記近接ビーコンデバイスが、
前記近接ビーコンデバイスにおいて、移動を示すセンサーデータを生成するように構成された第1のセンサーと、
動作を実行するようにプロセッサ実行可能命令で構成された第2のプロセッサとを備え、前記動作が、
前記近接ビーコンの前記移動が検出されるかどうかを示す前記情報を含む前記第1の信号を送信することであって、前記情報が、第1のデバイス識別子および移動インジケータのうちの少なくとも1つである、送信すること、
前記第1のセンサーからの前記センサーデータに基づいて、前記近接ビーコンの前記移動を検出すること、および
前記第1のセンサーからの前記センサーデータに基づいた、前記近接ビーコンの前記移動の検出に応答して、前記第1の信号において送信された前記情報を調整すること
を含む、通信システム。
【請求項１１】
前記第1の信号が、ブロードキャストメッセージおよびセキュアリンクのうちの1つである、請求項10に記載の通信システム。
【請求項１２】
前記簡略認証動作が、WiFiルータ、ウェブサイト、およびアプリケーションのうちの少なくとも1つに自動的にログインすること、または、前記コンピューティングデバイスを構成モードで動作するように自動的に構成することを含む、請求項10に記載の通信システム。
【請求項１３】
前記受信された第1の信号からの前記取得された情報に基づいて前記近接ビーコンデバイスを認証することをさらに含む動作を実行するように、前記第1のプロセッサがプロセッサ実行可能命令で構成される、請求項10に記載の通信システム。
【請求項１４】
動作を実行するようにプロセッサ実行可能命令で構成された第3のプロセッサを備えるサーバをさらに備え、前記動作が、
前記第1の信号からの前記情報に基づいて、前記近接ビーコンデバイスを認証するために、前記コンピューティングデバイスから第1のメッセージを受信すること、および
前記近接ビーコンデバイスが認証されるかどうかを示す応答メッセージを前記コンピューティングデバイスに送信すること
を含み、
前記受信された第1の信号からの前記取得された情報に基づいて、前記近接ビーコンデバイスを認証することが、
前記受信された第1の信号からの前記取得された情報に基づいて、前記近接ビーコンデバイスを認証するために、前記サーバに前記第1のメッセージを送信すること、および
前記近接ビーコンデバイスが認証されるかどうかを示す前記応答メッセージを、前記サーバから受信すること
を含むような動作を実行するように、前記第1のプロセッサがプロセッサ実行可能命令で構成される、請求項13に記載の通信システム。
【請求項１５】
近接ブロードキャスト受信機をさらに備え、前記近接ブロードキャスト受信機が、
前記近接ブロードキャスト受信機における移動を示すセンサーデータを生成するように構成された第2のセンサーと、
動作を実行するようにプロセッサ実行可能命令で構成された第4のプロセッサとを備え、前記動作が、
初期値を有するインジケータを含む第2のメッセージを、前記サーバに送信すること、
前記第2のセンサーからの前記センサーデータに基づいて、前記近接ブロードキャスト受信機における前記近接ブロードキャスト受信機の位置の変化を示す移動を検出すること、
前記第2のセンサーからの前記センサーデータに基づいた、前記近接ブロードキャスト受信機における位置の変化を示す前記移動の検出に応答して、前記インジケータを調整すること、
前記コンピューティングデバイスに関連付けられた第2のデバイス識別子を含む第2の信号を、前記コンピューティングデバイスから受信すること、および
前記受信された第2の信号からの前記第2のデバイス識別子と、前記インジケータとを少なくとも含むサイティングメッセージを、前記サーバに送信すること
を含み、
前記第1のプロセッサが、動作を実行するようにプロセッサ実行可能命令で構成され、前記動作が、
前記第2のデバイス識別子をもつ前記第2の信号をブロードキャストすること、
前記ブロードキャストされた第2の信号を受信した前記近接ブロードキャスト受信機が移動されたかどうかを示す第3のメッセージを、前記サーバから受信すること、
前記近接ブロードキャスト受信機が移動されていないことを示す、前記サーバからの前記第3のメッセージの受信に応答して、前記コンピューティングデバイスが前記機能にアクセスするための前記簡略認証動作を実行すること、および
前記近接ブロードキャスト受信機が移動されたことを示す、前記サーバからの前記第3のメッセージの受信に応答して、前記コンピューティングデバイスが前記機能にアクセスするための前記通常認証動作を実行すること
をさらに含み、
前記第3のプロセッサが、動作を実行するようにプロセッサ実行可能命令で構成され、前記動作が、
前記初期値を有する前記インジケータを含む前記第2のメッセージを、前記近接ブロードキャスト受信機から受信すること、
前記初期値を有する前記インジケータを記憶すること、
前記サイティングメッセージを、前記近接ブロードキャスト受信機から受信すること、
前記受信されたサイティングメッセージからの前記インジケータが、前記初期値を有する前記記憶されたインジケータにマッチするかどうかに基づいて、前記近接ブロードキャスト受信機が移動されたかどうかを決定すること、および
前記近接ブロードキャスト受信機が移動されたかどうかの決定に応答して、前記ブロードキャストされた第2の信号を受信した前記近接ブロードキャスト受信機が移動されたかどうかを示す前記第3のメッセージを、前記コンピューティングデバイスに送信すること
をさらに含む、請求項14に記載の通信システム。